(57)【要約】【課題】  仕切部材が内側面部の長手方向に移動してしまったり、また仕切部材の下端部が収納物によって押し込まれて該仕切部材がその上端部を中心に回動して傾いてしまうことを防止でき、仕切部材を振動等によりがたつくことことなく強固にトレイに取付けることができるトレイの仕切り構造を提供する。【解決手段】  トレイ１の対向する内側面部４ａ、４ｂの夫々に該内側面部４ａ、４ｂの長手方向に沿うガイド部を形成する。弾性を有する線状の仕切部材２の両側端部にガイド係合部６、６を設ける。該仕切部材２の下端部に底面弾接部７を設ける。トレイ１の収納部８内に仕切部材２を配置する。仕切部材２の両ガイド係合部６、６の夫々を対応するトレイ１の各ガイド部の長手方向における任意の位置に弾性的に係合する。仕切部材２の底面弾接部７をトレイ１の底面部９に弾接する。【選択図】        図１
2005066123.tif 000002
【特許請求の範囲】
【請求項１】
トレイの対向する内側面部の夫々に該内側面部の長手方向に沿うガイド部を形成し、弾性を有する線状の仕切部材の両側端部にガイド係合部を設けると共に該仕切部材の下端部に底面弾接部を設け、トレイの収納部内に仕切部材を配置して、仕切部材の両ガイド係合部の夫々を対応するトレイの各ガイド部の長手方向における任意の位置に弾性的に係合すると共に、仕切部材の底面弾接部をトレイの底面部に弾接してなることを特徴とするトレイの仕切り構造。
【請求項２】
仕切部材に上記トレイの対向する内側面部間に架け渡される仕切カバーを着脱自在に取付け、該仕切カバーの両側端部に設けた当接部の夫々をガイド部に係合したガイド係合部のトレイの収納部側の部位に当接してなることを特徴とする請求項１記載のトレイの仕切り構造。
【発明の詳細な説明】
【技術分野】
【０００１】
本発明はトレイの収納部を仕切る仕切部材を無段階的に任意の位置に取り付けられるようにしたトレイの仕切り構造に関するものである。
【背景技術】
【０００２】
従来から図４に示すようなトレイの仕切り構造が知られている。この仕切構造は、トレイ１′の対向する内側面部に該内側面部の長手方向に並ぶ複数の嵌め込み穴３０を設け、仕切部材２′の両側端部に設けた図示しない嵌め込み部を前記複数の嵌め込み穴３０のうち任意の嵌め込み穴３０に嵌め込み、この嵌め込み穴３０に嵌め込まれた仕切部材２′にてトレイ１′の収納部８′を適当な広さの収納スペースに区画したものである。
【０００３】
しかし上記図４に示す従来例にあっては所定位置に設けた嵌め込み穴３０にしか仕切部材２′を取付けることができないため、仕切部材２′の取付け位置は段階的となり、仕切部材２′を使用者の所望の位置に無段階的に取付けて収納部８′を仕切ることができないという問題があり、収納スペースの大きさを収納物の大きさに適宜合わせること等ができなかった。
【０００４】
また上記図４に示す従来例とは別に、仕切部材を使用者の所望の位置に無段階的に取り付けられるようにしたトレイの仕切り構造も知られている。このものは、仕切部材の一方の側端部に二股係止部を形成し、該二股係止部の一方をトレイの側板に凹凸嵌合手段により摺動自在に係合すると共に、二股係止部の他方をトレイの前記二股係止部の一方を係合した側板に当接して、二股係止部にてトレイの側板を抱持し、仕切部材の下端部に設けた底面当接部をトレイの底面に当接したものである（例えば特許文献１）。
【０００５】
しかし上記特許文献１に示すトレイの仕切り構造における仕切部材はその一方の側端部と下端部との２点のみが支持された片持ち支持であり、仕切部材が振動等によりがたつき易くて取付け構造が弱く、しかも仕切部材の片側端部は係合と当接により支持され、下端部は当接により支持されているだけであるため、仕切部材が固定されておらず、仕切部材が内側面部の長手方向に沿う方向に移動してしまったり、また仕切部材の下端部が収納物によって押し込まれて該仕切部材がその上端部や一方の側端部を中心に回動して傾いてしまうことがあった。
【特許文献１】特開２００２−２３８６８４号公報
【発明の開示】
【発明が解決しようとする課題】
【０００６】
本発明は上記従来の問題点に鑑みて発明したものであって、仕切部材を使用者の所望の位置に無段階的に取り付けることができるのは勿論のこと、加えて、仕切部材が内側面部の長手方向に沿う方向に移動してしまったり、また仕切部材の下端部が収納物によって押し込まれて該仕切部材がその上端部やその一方の側端部を中心に回動して傾いてしまうことを防止でき、仕切部材を振動等によりがたつくことことなく強固にトレイに取付けることができるトレイの仕切り構造を提供することを課題とするものである。
【課題を解決するための手段】
【０００７】
上記課題を解決するために本発明に係るトレイの仕切り構造は、トレイ１の対向する内側面部４ａ、４ｂの夫々に該内側面部４ａ、４ｂの長手方向に沿うガイド部を形成し、弾性を有する線状の仕切部材２の両側端部にガイド係合部６、６を設けると共に該仕切部材２の下端部に底面弾接部７を設け、トレイ１の収納部８内に仕切部材２を配置して、仕切部材２の両ガイド係合部６、６の夫々を対応するトレイ１の各ガイド部の長手方向における任意の位置に弾性的に係合すると共に、仕切部材２の底面弾接部７をトレイ１の底面部９に弾接してなることを特徴とする。
【０００８】
このように仕切部材２の両ガイド係合部６、６を対応するガイド部の長手方向における任意の位置に取付けることで、該取付けられた仕切部材２にてトレイ１の収納部８を使用者の所望の位置に無段階に区画することができるのは勿論のこと、加えて、各ガイド係合部６、６を対応するガイド部に係合し、各ガイド係合部６、６を対応するガイド部にガイド部側に弾性力を付与した状態で弾接し、底面弾接部７をトレイ１の底面部９に下方に弾性力を付与した状態で弾接することができ、これにより仕切部材２をその両側端部の両ガイド係合部６、６と、その下端部の底面弾接部７との３点でトレイ１に弾接支持した状態で取付けることができ、これにより従来例のように仕切部材２が内側面部４ａ、４ｂの長手方向に沿う方向に移動してしまったり、また仕切部材２の下端部が収納物によって押し込まれて該仕切部材２がその上端部や一方の側端部を中心に回動して傾いてしまったりすることを防止でき、仕切部材２を振動等によりがたつくことことなく強固にトレイ１に取付けることができる。
【０００９】
また請求項２は請求項１において、仕切部材２に上記トレイ１の対向する内側面部４ａ、４ｂ間に架け渡される仕切カバー３を着脱自在に取付け、該仕切カバー３の両側端部に設けた当接部１０、１０の夫々をガイド部に係合したガイド係合部６、６のトレイ１の収納部８側の部位に当接してなることを特徴とする。
【００１０】
このように仕切部材２に上記トレイ１の対向する内側面部４ａ、４ｂ間に架け渡される仕切カバー３を着脱自在に取付けることで、仕切カバー３にてトレイ１の収納部８をしっかりと仕切ることができるのは勿論のこと、加えて、仕切カバー３の両側端部に設けた当接部１０、１０の夫々をガイド部に係合したガイド係合部６、６のトレイ１の収納部８側の部位に当接することで、仕切カバー３を取付けた状態においては、仕切カバー３の各当接部１０、１０にて各ガイド部に係合したガイド係合部６をガイド部側に押し込むことができ、これによりガイド部にガイド係合部６をより強い力で弾接することができ、これにより仕切部材２をより強固に取付けることができ、且つ各当接部１０、１０にて仕切部材２の各ガイド係合部６、６がガイド部から外れて脱落することも防止できる。さらには仕切カバー３を仕切部材２から取り外した場合には前記仕切カバー３の各当接部１０によるガイド部側へのガイド係合部６の押し込み力をなくすことができ、これにより仕切部材２の取付け位置を変更する場合には、仕切カバー３を仕切部材３から取り外すことで仕切部材２を凹状溝部１３の長手方向に沿って移動しやすい状態とすることができ、これにより仕切部材２の各ガイド係合部６、６を各凹状溝部１３、１３によって無段階的にガイドして仕切部材２を容易に移動することができる。
【発明の効果】
【００１１】
本発明では、仕切部材を使用者の所望の位置に無段階的に取り付けることができるのは勿論のこと、加えて、仕切部材が内側面部の長手方向に移動してしまったり、また仕切部材の下端部が収納物によって押し込まれて該仕切部材がその上端部を中心に回動して傾いてしまうことを防止でき、仕切部材を振動等によりがたつくことことなく強固にトレイに取付けることができる
【発明を実施するための最良の形態】
【００１２】
以下、本発明を添付図面に示す実施形態に基いて説明する。本実施形態のトレイの仕切構造は、図１に示すように平面視矩形状の浅底のトレイ１と、トレイ１の収納部８を複数の区画に仕切る仕切部材２と、仕切部材２に着脱自在に取付けられる仕切カバー３とを備えている。
【００１３】
図２に示すトレイ１はキッチンキャビネット等に設けた引出しに収納される引出し用のトレイであって、例えばＡＢＳ等の合成樹脂にて形成されている。トレイ１は上方に開口する平面視略矩形状の収納部８を複数有しており、各収納部８は、平面視矩形状の底面部９と、底面部９の上方空間の四方を覆う内側面部４とにより形成されている。図１に示すように複数の収納部８のうち、任意の収納部８には後述する仕切部材２のガイド係合部６、６をガイドするためのガイド部を形成している。詳述すると、任意の収納部８を構成する４つの内側面部４のうち、一対の対向する内側面部（以下、この一対の内側面部を内側面部４ａ、４ｂと称し、該内側面部４ａ、４ｂとは別の対向する一対の内側面部を内側面部４ｃ、４ｄと称す）の夫々の上部にはガイド部として夫々の内側面部４ａ、４ｂの長手方向（図１中矢印イ参照）に沿う凹状の溝部１３、１３を形成している。両凹状溝部１３、１３は対向しており、各凹状溝部１３、１３は、奥面部１４と、上下の底面部１５ａ、１５ｂとを備えている。
【００１４】
上記トレイ１の凹状溝部１３を設けた収納部８内に嵌め込みにより着脱自在に取付けられる仕切部材２は図１に示すように線状であり、弾性を有している。仕切部材２の両側端部には上記トレイ１の各凹状溝部１３に嵌め込まれて係合するガイド係合部６を夫々設けてあり、下端部には上記トレイ１内部の底面部９に弾接する底面弾接部７を設けている。具体的には仕切部材２は金属製の断面円状の線材を屈曲形成してなるものであって、正面視Ｖ字状の線材の両側端の夫々を内側面４ａ、４ｂの長手方向に沿って内側面部４ｃ、４ｄのうち一方の内側面部側に折り曲げてなる。そして本実施形態では前記線材の下端部の折り曲げ部分を底面弾接部７とし、両側端部の折り曲げてなる部分をガイド係合部６、６としている。
【００１５】
上記仕切部材２に嵌め込みにより着脱自在に取付けられる仕切カバー３は、図１に示すように側方から見て下方に開口するように折り曲げてなる逆Ｕ字状の板材であって、上記仕切部材２を着脱自在に嵌め込むための下方及び両側方に開口する仕切部材嵌め込み部１８を有している。この仕切カバー３の両側端部の夫々には後述のトレイ１の凹状溝部１３に係合した仕切部材２のガイド係合部６の収納部８側の部位に当接する当接部１０、１０を形成してあり、本実施形態ではこの当接部１０、１０を内側面部４ａ、４ｂに対向する仕切カバー３の両側の端面部としている。また仕切カバー３は後述する仕切部材２に取付けられた際にトレイ１の対向する内側面部４ａ、４ｂ間に架け渡されるように、その幅が収納部８の幅と略同じとなるように形成されている。
【００１６】
トレイ１の収納部８に上記仕切部材２及び取付けカバー３を取付けて、該収納部８を内側面部４ａ、４ｂの長手方向に並ぶ複数の区画に仕切る場合は、例えば以下のようにして行う。まず仕切部材２を弾性変形させて該仕切部材２をトレイ１の収納部８内に配置する。次いで、仕切部材２の両ガイド係合部６、６の夫々をトレイ１の対応する凹状溝部１３の長手方向における任意の位置に弾性的に係合して仕切部材２を収納部８における任意の位置に配置すると共に、仕切部材２の底面弾接部７をトレイ１の底面部９の幅方向中央部に弾接する。ここで仕切部材２の両ガイド係合部６、６の夫々は対応する凹状溝部１３、１３の奥面部１４に弾接しているものとする。
【００１７】
これにより仕切部材２の各ガイド係合部６、６は対応する凹状溝部１３に係合し、また各ガイド係合部６、６は対応する凹状溝部１３に外側方に弾性力を付与した状態で弾接し、また底面弾接部７はトレイ１の底面部９に下方に弾性力を付与した状態で弾接することとなり、この状態で仕切部材２がトレイ１の収納部８内に取付けられる。このように仕切部材２を収納部８に取付けることで、仕切部材２をその両側端部の両ガイド係合部６、６と、その下端部の底面弾接部７との３点をトレイ１に弾接支持した状態で取付けることができ、これにより従来例のように仕切部材２が内側面部４ａ、４ｂの長手方向に移動してしまったり、また仕切部材２の下端部が収納物によって押し込まれて該仕切部材２がその上端部や一方の側端部を中心に回動して傾いてしまったりすることを防止でき、仕切部材２を振動等によりがたつくことことなく強固にトレイ１に取付けることができる。
【００１８】
しかして上記のように仕切部材２を両ガイド係合部６、６を対応するガイド部の長手方向における任意の位置に取付けることで、該取付けられた仕切部材２にてトレイ１の収納部８を無段階に区画することができる。
【００１９】
そして上記のように仕切部材２をトレイ１の収納部８内に取付けた後、仕切部材２に仕切カバー３を取付ける。仕切カバー３を取付ける場合は、図１に示すように仕切部材２の上方に配した仕切カバー３を下方に移動させて（図１矢印ロ参照）、仕切部材嵌め込み部１８の下方に開口する開口部から仕切部材２の両ガイド係合部６、６の間の部分であるＶ字状部を挿入し、仕切カバー３の下端面がトレイ１の底面部９に当接するまで仕切カバー３を押し込む。これにより仕切部材嵌め込み部１８に仕切部材２のＶ字状部が嵌め込まれると共に、仕切カバー３の両当接部１０、１０の夫々が対応する凹状溝部１３、１３に係合したガイド係合部６、６の収納部８側の部位に当接する。
【００２０】
しかしてトレイ１の内側面部４ｃ、４ｄと平行となる仕切カバー３が仕切部材２に取付けられることとなり、これにより仕切部材２により仕切られた複数の区画に小物等の小さな収納物を収納したとしても、この小さな収納物が線状の仕切部材２を越えて隣の区画に移ってしまうことを防止でき、両内側面部４ａ、４ｂ間に掛け渡された仕切カバー３にてトレイ１の収納部８を確実に区画することができる。また、仕切カバー３を仕切部材２に取付けた状態においては、前述したように仕切カバー３の両当接部１０の夫々が対応する凹状溝部１３に係合したガイド係合部６の収納部８側の部位に当接するので、仕切部材２の各ガイド係合部６、６が凹状溝部１３から脱落することを防止できる。さらには仕切カバー３を取付けた際には、該仕切カバー３の各当接部１０にて各凹状溝部１３に係合したガイド係合部６を凹状溝部１３側（詳しくは凹状溝部１３の奥面部１４側）に押し込んでこのガイド係合部６を弾性変形させることができ、これにより凹状溝部１３にガイド係合部６をより強い力で弾接することができ、このガイド係合部６とガイド部との弾接、底面弾接部７とトレイ１の底面部９との弾接により、仕切部材２をより強固に取付けられる。
【００２１】
また上記トレイ１の収納部８に取付けた仕切部材２の取付け位置を変更する場合は、まず仕切カバー３を仕切部材２から取り外して、収納部８内から仕切カバー３を取り出す。この際、前述した仕切カバー３の各当接部１０によるガイド係合部６への押し込み力がなくなり、仕切部材２が凹状溝部１３の長手方向に沿って移動しやすい状態となる。次いで仕切部材２を各ガイド係合部６、６を各凹状溝部１３、１３に摺動自在に係合したまま、仕切部材２を内側面部４ａ、４ｂの長手方向（図１中矢印イ参照）に沿って移動し、仕切部材２を収納部８の任意の位置に配置する。ここで各凹状溝部１３、１３は仕切部材２を移動する際に仕切部材２のガイド係合部６をガイドする役割を果している。この後、前述した仕切部材２の取付けと同様、仕切部材２の各ガイド係合部６、６を各凹状溝部１３、１３に係合すると共に両ガイド係合部６、６の夫々を対応する凹状溝部１３、１３の奥面部１４に弾接し、同時に仕切部材２の底面弾接部７をトレイ１の底面部９に弾接し、この後、前述同様仕切部材２に仕切カバー３を取付ける。なお、仕切カバー３をトレイ１に取付けた状態において、仕切カバー３の各ガイド係合部６、６と各凹状溝部１３、１３との弾接力が大きい場合には、上記仕切部材２の移動の際に仕切部材２を弾性変形して各ガイド係合部６、６と凹状溝部１３との弾接力を小さくした後、各ガイド係合部６、６を各凹状溝部１３、６に摺動自在に係合させたまま仕切部材２を内側面部４ａ、４ｂの長手方向に沿って移動するものとする。
【００２２】
上記のように仕切カバー３を仕切部材２から取り外した場合には、仕切カバー３の各当接部１０によるガイド係合部６の各凹状溝部１３、１３部側への押し込み力をなくすことができ、これにより仕切部材２の取付け位置を変更する場合には、仕切カバー３を仕切部材３から取り外すことで仕切部材２を凹状溝部１３の長手方向に沿って移動しやすい状態とすることができ、結果、仕切部材２の各ガイド係合部６、６を各凹状溝部１３、１３によってガイドしたまま仕切部材２を容易に移動することが可能となる。
【００２３】
次に上記仕切部材２の変形例を図３（ａ）〜（ｄ）に示す。なお、以下の仕切部材２の説明では上記図１に示す仕切部材２と異なる点のみ説明し、重複する部分は説明を省略する。
【００２４】
図３（ａ）の仕切部材２ａは正面視円環状に屈曲した線材の両側端の夫々を内側面部４ｃ、４ｄのうち一方の内側面部側に折り曲げてなるものであり、図３（ｂ）の仕切部材２ｂは正面視Ｖ字状に屈曲した線材の両側端の夫々を内側面部４ｃ、４ｄのうち一方の内側面部側に折り曲げてなるものであり、図３（ｃ）に示す仕切部材２ｃは下方に凸となるように略凸状に突曲させた線材の両側端の夫々を内側面部４ｃ、４ｄのうち一方の内側面部側に折り曲げてなるものである。
【００２５】
また図３（ｄ）に示す仕切部材２ｃは、正面視中間部をＶ字状に屈曲させた線材と、線材の両側端に設けた合成樹脂製の二股部１９とからなり、二股部１９の一方は内側面部４ｃ、４ｄのうち一方に、二股部１９の一方は内側面部４ｃ、４ｄのうち他方に伸び、該二股部１９の両方をガイド係合部６としている。
【００２６】
なお本実施形態のトレイ１は上記のように引出しに収納されるトレイ１としたが、これに限定されるものではなく、例えばキッチンキャビネット等に形成した収納部に引出し自在に収納されるトレイであっても良いものとする。
【００２７】
また上記ではトレイ１の収納部８を仕切部材２で仕切り、且つ仕切カバー３にて両内側面部４ａ、４ｂ間を覆ったが、仕切カバー３を取付けず、仕切部材２のみでトレイ１の収納部８を区画しても良いものとする。
【００２８】
また上記ではトレイ１の両ガイド部を溝部１３とし、仕切部材２の両ガイド係合部６を前記溝部１３に係合するものとしたが、ガイド部及びガイド係合部としてはこれに限定されるものではなく、例えば両ガイド部の夫々をトレイ１の内側面部４ａ、４ｂの夫々に形成した凸部とし、両ガイド係合部６、６の夫々を仕切部材２の両側端部に設けた前記凸部に摺動自在に係合する凹部としても良いものとする。
【００２９】
また上記では各ガイド係合部６、６を外側方に弾性力を付与した状態で対応する凹状溝部１３に弾接したが、各ガイド係合部６、６を凹状溝部１３の奥面部１４及び上底面１５ａに弾接し、各ガイド係合部６、６を外側方及び上方に弾性力を付与した状態で対応する凹状溝部１３に弾接しても良いものとする。
【００３０】
また上記凹状溝部１３、１３はトレイ１の内側面部４ａ、４ｂの長手方向に沿って連続して設けてあれば良く、例えば内側面部４ａ、４ｂの長手方向における全長に亘って設けてあっても良いし、また内側面部４ａ、４ｂの長手方向における一部に設けてあっても良いものとする。
【図面の簡単な説明】
【００３１】
【図１】本発明の実施の形態の一例のトレイの仕切り構造を示す分解斜視図である。
【図２】同上のトレイであり、（ａ）は平面図、（ｂ）は（ａ）のＡ―Ａ線図、（ｃ）は（ａ）のＢ−Ｂ線図である。
【図３】（ａ）〜（ｄ）は同上の仕切部材の変形例を示す斜視図である。
【図４】従来のトレイの仕切り構造を示す斜視図である。
【符号の説明】
【００３２】
１  トレイ
２  仕切部材
３  仕切カバー
４  トレイの内側面部
５  ガイド係合部
６  ガイド係合部
７  底面弾接部
８  収納部
９  底面部
１０  当接部
【図１】
2005066123.tif 000003
【図２】
2005066123.tif 000004
【図３】
2005066123.tif 000005
【図４】
2005066123.tif 000006